(57)【要約】【課題】  コンクリート破片等の重量物の落下の衝撃に耐えることができる、低コストで短期間に構築可能な耐震避難室の屋根構造を提供する。【解決手段】  対向する２辺が、垂直面内で中高状に湾曲または屈曲した矩形状の屋根板２と、前記屋根板２を上縁部に支持するとともに、下縁部が前記耐震避難室の天井梁９上に支持される複数の隔壁板１４と、隣合う隔壁板１４の下縁部間を塞ぐ天井パネル１５とを備えている。屋根板２と天井パネル１５及び両側の隔壁板１４によって囲まれたそれぞれの空間内には、無収縮モルタル等の質量増加材１６が満たされおり、地震発生時の落下物の衝撃を質量増加材１６の大きな質量で吸収する。【選択図】  図２
2014020165.tif 000002
【特許請求の範囲】
【請求項１】
鉄骨組立構造の耐震避難室の屋根構造であって、
対向する２辺が、垂直面内で中高状に湾曲または屈曲した矩形状の屋根板と、
前記屋根板下方に、前記垂直面に対してそれぞれが平行になるように相互に間隔をあけて当該垂直面と直交する方向に配列され、当該屋根板を上縁部に支持するとともに、下縁部が前記耐震避難室の天井梁上に支持される複数の隔壁板と、
隣合う隔壁板の下縁部間を塞ぐ天井パネルとを備え、
前記屋根板と天井パネル及び両側の隔壁板によって囲まれたそれぞれの空間内が質量増加材で満たされていることを特徴とする耐震避難室の屋根構造。
【請求項２】
天井パネルと隔壁板は一体に組み立てられた複数の分割ユニットから構成され、各分割ユニットは締結部材で一体に結合されているとともに、それぞれの分割ユニットが、耐震避難室の天井梁に締結部材で固定されていることを特徴とする請求項１に記載の耐震避難室の屋根構造。
【請求項３】
質量増加材として無収縮モルタルが用いられているとともに、屋根板と天井パネル及び両側の隔壁板によって囲まれたそれぞれの空間内には、前記無収縮モルタルを補強する鉄筋が組み込まれていることを特徴とする請求項１又は２に記載の耐震避難室の屋根構造。
【発明の詳細な説明】
【技術分野】
【０００１】
本発明は、建物内部に設置して地震発生時に避難する耐震避難室の屋根構造に関するものであり、特に、工場や図書館等の長年使用され続けて老朽化が進んだ鉄筋コンクリートや煉瓦造りの建物の内部に設置する耐震避難室に好適な屋根構造に関する。
【背景技術】
【０００２】
近年において、１９９５年１月１７日に発生した兵庫県南部地震によって引き起こされた阪神淡路大震災や、２０１１年３月１１日に発生した東北地方太平洋沖地震によって引き起こされた東日本大震災等、各地で巨大地震による大災害が発生している。
【０００３】
現在建築されている高層ビル等の大多数は、このような巨大地震を想定した耐震構造や免震構造が取り入れられており、また、既存の建物においても、耐震補強を施したり、免震装置を付加する等によって地震対策が行われている。
【０００４】
一方、既存の建物の室内に、耐震避難室や地震用シェルターを設置して、地震発生時にこれらの中に避難する提案もなされている。例えば、特許文献１に記載されている耐震用の室内シエルターは、周囲に耐火性外装材が張り付けられ、鉄骨から枠組み一体化された床フレームと、出入口を除く周囲全体に耐火性壁材が張り付けられ、鉄骨から枠組み一体化された室フレームと、上面に耐火性屋根材が張り付けられ、鉄骨から枠組み一体化された天井フレームから構成されている。
【０００５】
前記室内シエルターの天井フレームは、室フレームの支柱上端に圧縮バネ等で付勢されて伸縮自在に設けられた、ショック吸収用昇降ロッドによって支持されていて、地震発生時に、天井フレームの上に落下物が衝突した時の衝撃を緩衝できる構造になっているとともに、天井フレームには、棟部に沿って落下物を破砕するための刃物が設けられている。
【０００６】
また、この室内シエルターは、木造住宅等の室内に据え置いて使用するためのものであり、木造住宅が震災時に火災を発生しやすいことから、ジュラルミンプレート等の耐火性屋根材や耐火性壁材が用いられている。
【先行技術文献】
【特許文献】
【０００７】
【特許文献１】特許２７５０６８２号公報
【発明の概要】
【発明が解決しようとする課題】
【０００８】
ところで、築年数を経た工場や公共の図書館、体育館等のコンクリートや煉瓦造りの建物は、近年発生しているような巨大地震に耐えられるような耐震構造になっておらず、また、後から耐震補強を行うことも技術面やコスト面から極めて困難な場合が多い。
【０００９】
このような、老朽化した建物が巨大地震の発生時に損壊した場合には、コンクリート片のような重量物が建物のフロアに落下して極めて危険な事態となることが予想される。そこで、前述したような、耐震避難室あるいは地震用シェルターを建物内に設置して、地震が発生した時にその中に避難することが考えられる。
【００１０】
従来提案されている、既設の建物の中に据え置いて使用するタイプの耐震避難室あるいは地震用シェルターの多くは、前述した特許文献１に記載されているもののように、木造住宅等の室内に設置することを前提としている。
【００１１】
しかしながら、コンクリート等の建物が損壊したときの落下物の重量は大きく、前述した特許文献１に記載されているもののような屋根構造では、落下物の衝突によって破壊されてしまう恐れがあった。
【００１２】
そこで、本発明は、前述したような従来技術における問題を解消し、コンクリート破片等の重量物の落下の衝撃に耐えることができる、低コストで短期間に構築可能な耐震避難室の屋根構造を提供することを目的とする。
【課題を解決するための手段】
【００１３】
前記目的のために提供される本発明の耐震避難室の屋根構造は、鉄骨組立構造の耐震避難室の屋根構造であって、対向する２辺が、垂直面内で中高状に湾曲または屈曲した矩形状の屋根板と、前記屋根板下方に、前記垂直面に対してそれぞれが平行になるように相互に間隔をあけて当該垂直面と直交する方向に配列され、当該屋根板を上縁部に支持するとともに、下縁部が前記耐震避難室の天井梁上に支持される複数の隔壁板と、隣合う隔壁板の下縁部間を塞ぐ天井パネルとを備え、前記屋根板と天井パネル及び両側の隔壁板によって囲まれたそれぞれの空間内が質量増加材で満たされていることを特徴としている。
【００１４】
本発明の耐震避難室の屋根構造においては、天井パネルと隔壁板は一体に組み立てられた複数の分割ユニットから構成され、各分割ユニットは締結部材で一体に結合されているとともに、それぞれの分割ユニットが、耐震避難室の天井梁に締結部材で固定されていることが望ましい。
【００１５】
また、本発明の耐震避難室の屋根構造においては、質量増加材として無収縮モルタルが用いられているとともに、屋根板と天井パネル及び両側の隔壁板によって囲まれたそれぞれの空間内には、前記無収縮モルタルを補強する鉄筋が組み込まれていることも望ましい。
【発明の効果】
【００１６】
請求項１に記載された発明に係る耐震避難室の屋根構造によれば、隣合う隔壁板と屋根板及び天井パネルによって包囲形成されたそれぞれの空間内に、質量増加材が充填されている構造によって、地震発生時に、耐震避難室が設置されている建物が損壊して、重量のあるコンクリート破片等の落下物が当該耐震避難室の屋根板の上に落下してきた場合に、屋根板に作用する過大な衝撃力が、質量増加材の大きな質量で吸収されるため、落下物による屋根板の破壊や変形を回避することができる。
【００１７】
請求項２に記載された発明に係る耐震避難室の屋根構造によれば、分割ユニットを、耐震避難室の設置現場と比較して作業環境が整っている工場内で製作することができるため、隔壁板や天井パネルの加工や組立の精度を高めることができ、耐震避難室の品質と耐久性を向上することができる。
【００１８】
また、耐震避難室に用いる全ての天井パネルと隔壁板は、複数の分割ユニットに分けて、耐震避難室を設置する建物内へ運び込むことができるため、当該建築物の出入口が狭い場合にも容易に搬入することができる。
【００１９】
さらに、各分割ユニットがボルト・ナット等の締結部材で一体に結合され、且つ、それぞれの分割ユニットが、耐震避難室の天井梁に締結部材で固定される構造であるため、分割ユニットを耐震避難室の天井梁に組み付ける作業を容易且つ短時間で行うことができる。
【００２０】
請求項３に記載された発明に係る耐震避難室の屋根構造によれば、地震発生時に、落下物や周囲の倒壊物が、屋根板の上に載ったままになった場合に、鉄筋で補強された無収縮モルタルが、屋根板に瞬間的に作用する衝撃力を吸収するだけでなく、持続的に作用するこれらの落下物や倒壊物の重量を支えることができるため、屋根板の変形を防ぐことができる。
【図面の簡単な説明】
【００２１】
【図１】本発明の１実施形態における耐震避難室の斜視図である。
【図２】本発明の１実施形態における耐震避難室の正面側から見た内部構造図である。
【図３】本発明の１実施形態における耐震避難室の右側面側から見た内部構造図である。
【図４】本発明の１実施形態における耐震避難室の上部構造を示す部分斜視図である。
【図５】隔壁板の斜視図である。
【図６】隔壁板の断面図である。
【図７】図２のａ部の拡大図である。
【図８】図７のＡ−Ａ断面図である。
【図９】屋根鋼板の形状を示す斜視図である。
【図１０】耐震避難室の天井梁の上に隔壁板を設置した状態を示す部分断面図である。
【図１１】耐震避難室の天井梁の上に天井パネルを取り付けた状態を示す部分断面図である。
【図１２】隔壁板に屋根板を取り付けた状態を示す部分断面図である。
【図１３】屋根板の内側に無収縮モルタルを充填する工程を示す部分断面図である。
【図１４】無収縮モルタル内に鉄筋を組み込んだ実施形態を示す部分断面図である。
【図１５】本発明のさらに別の実施形態における耐震避難室の上部構造を示す部分断面図である。
【図１６】図１５のＢ−Ｂ断面図である。
【図１７】分割ユニットの構造を示す斜視図である。
【発明を実施するための形態】
【００２２】
以下、図面に基づいて、本発明の実施形態を説明する。
図１は、本発明の屋根構造を備えた耐震避難室の外観を示す斜視図であって、同図に示す耐震避難室１は、鉄筋コンクリート造りの工場建物内の床面に設置して、地震発生時に工場内にいる作業者を、建物の損壊によって落下してくるコンクリート破片等の重量物から守るためのものである。
【００２３】
前記耐震避難室１は、堅牢な鉄骨組立構造の枠組みを有し、その上部に対向する２辺が垂直面内で中高状に緩やかに湾曲した矩形状の屋根板２を備えている。本実施形態のものにおいては、この屋根板２は複数枚の矩形状の屋根鋼板２Ａを並べて構成されている。
【００２４】
また、耐震避難室１の正面の中央には、出入口となる開口部３が設けられている。
この耐震避難室１には、さらに、背面の中央にも前記開口部３と同様な開口部が設けられている。なお、以下の記載においては、耐震避難室１の向きをその正面側が前、背面側が後とする。
【００２５】
また、耐震避難室１の正面と背面の開口部３の両側部分と、左右の両側面は、それぞれ波板鋼板を用いた壁板４、５によって覆われている。さらに、耐震避難室１の内部の床面は、表面に滑り止めパターンを有する床板鋼板６によって構成されている。
【００２６】
なお、図１に示す耐震避難室１には設けられていないが、耐震避難室１の室内には、地震発生時に揺れによる転倒を防止するために、電車の車内に設けられるような、立ち席用のつかみ棒を一本ないし複数本設置しておくことが望ましい。
【００２７】
図２は、耐震避難室１の正面側から見た内部構造図、図３は、その右側面側から見た内部構造図であって、これらの図においては、図１に示す壁板４、５や床板鋼板６の図示は省略してある。また、図４は、耐震避難室１の上部構造を示す部分斜視図であって、同図においては、屋根板２や壁板４、５の図示は省略してある。
【００２８】
これらの図に示すように、耐震避難室１は、鉄骨構造の土台枠７や支柱８、天井梁９等が直方体状に枠組みされ、相互に溶接されて一体に組み立てられている。なお、前述した床板鋼板６（図１参照）は、土台枠７に取り付けられている複数の鋼鉄製の根太１０（図２参照）の上面に固定されている。
【００２９】
また、土台枠７の下部は、工場建物内のコンクリートの床面Ｆに、ケミカルアンカーを用いて固定されていて、耐震避難室１を設置した後に、工場内のレイアウト変更が必要になった場合には、その設置場所を移し換えることができるようにしてある。
【００３０】
また、耐震避難室１の各支柱８は、肉厚の角形鋼管によって形成されており、この実施形態のものにおいては、耐震避難室１の４隅にそれぞれ１本ずつ、正面側と背面側のそれぞれの開口部の両側にそれぞれ１本ずつ、左右の側面の中央部にそれぞれ１本ずつ、合計１０本配置されている。
【００３１】
図２及び図３に示すように、耐震避難室１の４隅に配置されている各支柱８と、当該耐震避難室１の各側面の室内から見て左側に隣合っている支柱８との間は、連結梁１１やブレース１２を介して連結されて、耐震避難室１全体の剛性や強度を高めてある。
【００３２】
また、耐震避難室１の正面と背面に設けられている開口部３の位置を除き、隣合う各支柱８の間には、両端を土台枠７と天井梁９にそれぞれ連結された、鋼鉄製の細い縦桟１３が配置されていて、図１に示す壁板４や壁板５は、内側がこれらの縦桟１３と支柱８に固定されている。
【００３３】
天井梁９は、それぞれ前後一対の縦梁９Ａと、これらの縦梁９Ａの両端部とそれぞれ隅部の支柱８を介して連結されている左右一対の横梁９Ｂによって、平面視が矩形枠状に構成されている。
【００３４】
なお、本実施形態のものにおいては、これらの縦梁９Ａと横梁９Ｂはそれぞれ、長手方向に支柱８の上端部を挟んで分割された複数の部分から構成されていて、それぞれの部分どうしは各支柱８の上端部と溶接されて、当該支柱８を介して一体に結合されている。
【００３５】
また、前記一対の横梁９Ｂの間には、これらと並行するように、２つの横梁９Ｃが設けられている。縦梁９Ａと、横梁９Ｂ、９Ｃは、同一断面形状のＨ型鋼で形成されていて、それぞれの横梁９Ｃの両端は支柱８の上端部に溶接されて、これらの支柱８を介して縦梁９Ａと一体に結合されている。
【００３６】
また、図２及び図４に示すように、横梁９Ｂと横梁９Ｃの間、及び、横梁９Ｃどうしの間には、これらの横梁９Ｂ、９Ｃと並行するように、補助梁９Ｄが設けられている。これらの補助梁９Ｄは、縦梁９Ａや、横梁９Ｂ、９Ｃよりも、サイズの小さいＨ型鋼によって形成されていて、縦梁９Ａや、横梁９Ｂ、９Ｃと上面の高さを揃えて、両端をそれぞれ対向する縦梁９Ａの側面に溶接して結合されている。
【００３７】
また、横梁９Ｂ、９Ｃ、及び、補助梁９Ｄのそれぞれの上面には、鋼鉄製の隔壁板１４が立設されている。これらの隔壁板１４は、図５に示すように、円弧状の上縁部１４Ａと直線状の下縁部４Ｂを有している。なお、上縁部１４Ａの輪郭は、図１に示す屋根板２の湾曲形状に適合する形状としてある。
【００３８】
これらの隔壁板１４は、上縁部１４Ａを、下縁部１４Ｂを含む残りの部分とは別に製作して両者を溶接して一体化しており、図６に示すように、上縁部をリブ状に両側に突出するＴ字状の横断面とすることにより、隔壁板１４の剛性と強度を高めている。
【００３９】
次に、図７は図２のａ部の拡大図であって、この拡大図に示すように、隔壁板１４の下縁部１４Ｂは、横梁９Ｃの上面に溶接して固定されている。なお、詳細な図示はしないが、横梁９Ｂや補助梁９Ｄに対しても、同様にして隔壁板１４の下縁部１４Ｂが固定されている。
【００４０】
また、隔壁板１４の上縁部１４Ａの上面には、左右両側の屋根鋼板２Ａの縁部がそれぞれ溶接されている。なお、耐震避難室１の左右両端にそれぞれ配置されている横梁９Ｂ上に立設されている隔壁板１４の上縁部１４Ａには、その幅全体に亘って、端に位置する一枚の屋根鋼板２Ａの縁部が重ねられて溶接されている。
【００４１】
隣合う隔壁板１４の下縁部１４Ｂの間には、それぞれ、細長い矩形状の鋼板で形成された天井パネル１５が配置されている。それぞれの天井パネル１５の両側の長辺の縁部はそれぞれ、横梁９Ｂと補助梁９Ｄ、あるいは、横梁９Ｃと補助梁９Ｄの上面に溶接固定されており、実質的に隣合う隔壁板１４の下縁部１４Ｂどうしの間が天井パネル１５によって塞がれている。
【００４２】
また、図８に示すように、天井パネル１５の両側の短辺はそれぞれ、一対の縦梁９Ａの上面と、屋根鋼板２Ａの両側の短辺の両方に溶接されている。また、屋根鋼板２Ａと天井パネル１５、及び、両側の隔壁板１４に囲まれた空間の内部には、質量増加材としての無収縮モルタル１６が充填されている。
【００４３】
図９に示すように、それぞれの屋根鋼板２Ａには、中央部分に正方形状の充填孔２Ｂが形成されていて、無収縮モルタル１６は、この充填孔２Ｂから前記空間内に充填される。なお、前記充填孔２Ｂは、無収縮モルタル１６の充填完了後に、図８に示すように、鋼板製の蓋板２Ｃを屋根鋼板２Ａに溶接することによって密閉される。
【００４４】
前述した耐震避難室１の屋根部分を構築する場合には、先ず、図４及び図１０に示すように、天井梁９を含む下方部分の組立が完了している耐震避難室１の横梁９Ｂ、９Ｃ、及び、補助梁９Ｄのそれぞれの上面に、隔壁板１４を下縁部１４Ｂで溶接して垂直に固定する。
【００４５】
次に、図１１に示すように、各隔壁板１４の間に天井パネル１５を配置して、それぞれの天井パネル１５の４辺の縁を、天井梁９を構成している一対の縦梁９Ａと、横梁９Ｂ、９Ｃや補助梁９Ｄの上面にそれぞれ溶接する。こうして、天井梁９の上面を天井パネル１５によって塞いだ後、図１２に示すように、それぞれの隔壁板１４の上縁部１４Ａの上面に屋根鋼板２Ａを配置して溶接固定する。
【００４６】
なお、本実施形態のものにおいては、屋根板２を隣合う隔壁板１４間にそれぞれ固定される複数の屋根鋼板２Ａから構成しているが、これに限定するものではなく、例えば、一枚の鋼板で製作された屋根板を用いて、その屋根板の下面をそれぞれの隔壁板１４の上縁部１４Ａに溶接固定するようにしてもよい。
【００４７】
また、本実施形態のものにおいては、屋根板２を対向する２辺が、垂直面内で中高状に湾曲した形状としているが、これに代えて、中央部が山型に屈曲した形状とし、また、隔壁板の上縁部も屋根板の形状に適合する形状としてもよい。
【００４８】
また、ここでは、質量増加材として無収縮モルタル１６を用いているが、質量増加材はこれに限定するものではなく、例えば、砂のように、比較的重量があり、充填時に流動性を有し且つ充填後に経時的な体積変化を起こしにくいものであればよい。
【００４９】
次に、図１４は、前述した実施形態の一部を変更した例を示すものであって、同図に示す実施形態においては、無収縮モルタル１６の内部に縦横に格子状に組んだ鉄筋１７を埋設してある。
【００５０】
前記鉄筋１７は、図１１に示すように天井パネル１５の設置が完了した時点で、それぞれの隔壁板１４間に配置し、その後、屋根鋼板２Ａを取付けてから、無収縮モルタルを充填し、鉄筋１７を内部に埋設した状態で無収縮モルタルを固化させる。
【００５１】
次に、図１５は、本発明のさらに別の実施形態における耐震避難室の上部構造を示す部分断面図、図１６は、図１５のＢ−Ｂ断面図であって、これらの図に示す耐震避難室１’は、天井梁９’が、前述した耐震避難室１と同様に一対の縦梁９Ａを有しているとともに、これらの縦梁９Ａの間に、さらに縦梁９’Ａが配置されている。
【００５２】
前記縦梁９’Ａは、両側の２つの縦梁９Ａと断面形状やサイズは同じである。また、これらの図中で、図２及び図３と同符号を用いている横梁９Ｂ、９Ｃ、補助梁９Ｄ、支柱８等は、前述した耐震避難室１に用いられているものと同じ構成である。
【００５３】
本実施形態における耐震避難室１’においては、天井梁９’の上に配置される隔壁板１４’ａ〜１４’ｅと天井パネル１５’は、図１７に示すような分割ユニット１８として、あらかじめ組み立てられたものを、耐震避難室１’の設置現場に搬入して天井枠９’にボルト・ナット等の締結部材１９で取り付ける構造になっている。
【００５４】
分割ユニット１８は、天井梁９’の上に設けられる１４’ａ〜１４’ｅと天井パネル１５’の全体を前後左右４つの部分に分割して、各部分毎に製作されており、前後左右の向きが異なる４種類で一組となっている。
【００５５】
図１７の分割ユニット１８は、４種類の中の１つを示すもので、残りの３つはそれぞれ、同図の分割ユニット１８とは前後が対称な構造、左右が対称な構造、及び、前後と左右の両方が対称な構造をしている。
【００５６】
分割ユニット１８は、隔壁板１４’ａと、その片側の側面に直交するように溶接された、隔壁板１４’ｂ、１４’ｃ、１４’ｄ、１４’ｅと、これらの隔壁板１４’ａ〜１４’ｅのそれぞれの、幅広に形成された下縁部に周縁部を溶接された矩形状の天井パネル１５’から構成されている。
【００５７】
４つ一組の分割ユニット１８は、図１６に示す垂直な分割面Ｐ１に対して前後対称に、且つ、図１５に示す垂直な分割面Ｐ２に対して左右対称になるように、天井梁９’上に設置される。
【００５８】
この際、図１６に示されているように、各分割ユニット１８の隔壁板１４’ａの下縁部は、天井梁９’の中央に配置された縦梁９’Ａに、複数の締結部材１９で固定される。また、図１５に示されているように、隔壁板１４’ｂと隔壁板１４’ｄの下縁部はそれぞれ天井梁９’の補助梁９Ｄに、また、隔壁板１４’ｃと隔壁板１４’ｅの下縁部はそれぞれ横梁９Ｃと横梁９Ｂに複数の締結部材１９で固定される。
【００５９】
さらに、分割面Ｐ１、Ｐ２で隣合う分割ユニット１８の隔壁板１４’ａどうしと、隔壁板１４’ｂどうしは、それぞれ複数の締結部材２０によって一体に結合される。なお、この実施形態においては、これらの締結部材１９、２０に高張力のボルトとナットを用いている。
【００６０】
なお、分割ユニット１８を製作する際に、これらの隔壁板１４’ａ〜１４’ｅの下縁部に、ボルト孔を形成した後、ボルトを上方から差し込んで溶接しておくことで、耐震避難室１’の設置現場において、天井梁９’上に各分割ユニット１８を組み付ける際に、天井梁９’側に形成したボルト孔（図示せず）に、これらの隔壁板１４’ａ〜１４’ｅから下方に突出したボルトを落とし込んで容易に位置決めすることができ、作業効率を高めることができる。
【００６１】
また、この実施形態のものにおいては、前述したように、各分割ユニット１８を結合して天井梁９’上に固定した後、屋根板２’を構成する屋根鋼板２’Ａの周縁部を、図示していないビスによって、隔壁板１４’ｂ〜１４’ｅの幅広に形成された上縁部の上面に、適宜間隔で複数箇所ビス止めする。
【００６２】
また、図１７に示すように、それぞれの屋根鋼板２’Ａには、隔壁板１４’ａ寄りに、充填口２’Ｂが形成されており、分割ユニット１８に屋根鋼板２’Ａをビスで取り付けた後、これらの充填口２’Ｂから質量増加材としての無収縮モルタル１６をその内側の空間内に充填し、蓋体２’Ｃを溶接して密閉する。なお、先に説明した図１４に示す実施形態のように、無収縮モルタル１６の中に鉄筋を埋設してもよい。
【００６３】
なお、この実施形態のものでは、天井梁９’上に設けられる各隔壁板１４’ａ〜１４’ｅ及び各天井パネル１５’を、縦横の分割面Ｐ１、Ｐ２によって、４つの分割ユニット１８に分割しているが、分割数や分割面の位置は、耐震避難室の規模や形状に応じて、適宜変更することが可能である。
【産業上の利用可能性】
【００６４】
本発明の耐震避難室の屋根構造は、築年数を経て老朽化したコンクリート造りや煉瓦造りの工場や図書館、公民館、体育館等の公共で使用する建物内に設置する耐震避難室の屋根構造として、特に有効に利用することができる。
【符号の説明】
【００６５】
１、１’耐震避難室
２、２’屋根板
２Ａ、２’Ａ  屋根鋼板
２Ｂ、２’Ｂ  充填口
２Ｃ、２’Ｃ  蓋体
３  開口部
４、５  壁板
６  床板鋼板
７  土台枠
８  支柱
９、９’天井梁
９Ａ、９’Ａ  縦梁
９Ｂ、９Ｃ  横梁
９Ｄ  補助梁
１０  根太
１１  連結梁
１２  ブレース
１３  縦桟
１４、１４’ａ、１４’ｂ、１４’ｃ、１４’ｄ、１４’ｅ  隔壁板
１４Ａ  上縁部
１４Ｂ  下縁部
１５、１５’  天井パネル
１６  無収縮モルタル（質量増加材）
１７  鉄筋
１８  分割ユニット
１９、２０  締結部材
Ｐ１、Ｐ２  分割面
Ｆ  床面
【図１】
2014020165.tif 000003
【図２】
2014020165.tif 000004
【図３】
2014020165.tif 000005
【図４】
2014020165.tif 000006
【図５】
2014020165.tif 000007
【図６】
2014020165.tif 000008
【図７】
2014020165.tif 000009
【図８】
2014020165.tif 000010
【図９】
2014020165.tif 000011
【図１０】
2014020165.tif 000012
【図１１】
2014020165.tif 000013
【図１２】
2014020165.tif 000014
【図１３】
2014020165.tif 000015
【図１４】
2014020165.tif 000016
【図１５】
2014020165.tif 000017
【図１６】
2014020165.tif 000018
【図１７】
2014020165.tif 000019